(57)【要約】      （修正有）【課題】クッションを立てて設置することで、設置床面積を最小限に抑え、周りの歩行の妨げも最小限に抑え、かつ、クッションを屏風状に設置する事を可とする縦置型面ファスナー繋ぎクッションを提供する。【解決手段】クッション間の繋ぎ部分に面ファスナーを使用する事により、任意枚数のクッションを繋ぐ事が出来、クッションを屏風状に立たせて使用可能とする。【選択図】図１
0003165484.tif 000002
【実用新案登録請求の範囲】
【請求項１】
クッションを屏風状に立てて使用可能にする繋ぎ部分に面ファスナーを用いた点にある。個々のクッションを面ファスナーで繋ぐ事により、強固な屏風状クッション設置を可能にした。
【考案の詳細な説明】
【技術分野】
【０００１】
本考案は、高齢者等が転倒・骨折に至る事を少しでも軽減する為、最小限の床面積で  大きな効果を発揮するクッション縦置きを可能にする面ファスナー繋ぎクッションであ  る。
【背景技術】
【０００２】
介護保険制度の運用規則に拘束の禁止が定められている。認知症により意味無く車椅  子やベッドから立ち上がり、転倒・骨折に至る例が多く、防止策に苦慮している背景が  ある。本クッションは、立ち上がり時の転倒が、骨折に至る事を軽減する為に考案され  た最小床面積で、大きな効果を発揮する面ファスナー繋ぎクッションである。
【０００３】
転倒・骨折を防止するには、周りにクッションを敷き詰めれば良いのだが、これで    は場所を取り過ぎ、足の踏み場も無い。本考案は、立ち上がる人の周りに、クッション  を屏風状に立てて、転倒時クッションと一緒倒れて頂こうと考えられた、屏風状に立つ  事を可能にした面ファスナー繋ぎクッションである。
【０００４】
転倒の可能性のある者の立ち上がる情景に合わせ、クッションを立たせて任意枚数繋  いで使用する事が出来、繋ぎに面ファスナーを使用する事で、任意の枚数接続を可能に  したクッションである。
【先行技術文献】
【特許文献】
【０００５】
【特許文献１】特開２００６−１４１７４７号公報
【特許文献２】特表２００６−５２２９５９号公報
【特許文献３】実登３１１８３０５号公報
【非特許文献】
【０００６】
【非特許文献１】真野行生著「高齢者の転倒とその対策」                                 医歯薬出版株式会社  １９９９年
【考案の概要】
【考案が解決しようとする課題】
【０００７】
拘束が禁止されている打開策として、立ち上がり転倒者の周りにクッションを屏風状  に張り巡り、クッションと共に転倒して頂く事で、骨折の確率軽減を可能にした面ファ  スナー繋ぎクッションである。
【課題を解決するための手段】
【０００８】
本考案は、クッションを屏風状に立てて使用が可能にした事にある。面ファスナー    繋構造に特徴がある。個々のクッションを面ファスナーで繋ぐ事により。クッション    を立てて使用可能にした事が最も主要な特徴である。
【考案の効果】
【０００９】
本考案の屏風状に立てられるクッションは、認知症高齢者の立ち上がり転倒時、一緒  に転倒するため、屏風状構造がより一層の弾力と成り、転倒時の衝撃を和らげる。  
【図面の簡単な説明】
【００１０】
【図１】図１は屏風状クッションの設置例を示した説明図である。（実施例１）
【図２】図２はクッションの繋ぎ部分を示した説明図である。（実施例２）
【考案を実施するための形態】
【００１１】
クッションを立てて使用するという目的を、クッションを面ファスナーで繋ぎ合わせ、  屏風状に設置する事により、設置床面積が最小限で大きな面クッションの設置を可能に  した。
【実施例１】
【００１２】
図１は、本考案の実施例で設置床面積が小さく、介助者の歩行の邪魔を最小限にし、  転倒・骨折の軽減を図った設置例である。
【実施例２】
【００１３】
図２は、クッションを立てて使用可能にする繋ぎ部分の説明図で、面ファスナーを    繋ぎ部分に使用する事でクッションを立てて屏風状に設置可能にした繋ぎ方法である。
【図１】
0003165484.tif 000003
【図２】
0003165484.tif 000004
【手続補正書】
【提出日】平成22年7月11日(2010.7.11)
【手続補正１】
【補正対象書類名】実用新案登録請求の範囲
【補正対象項目名】全文
【補正方法】変更
【補正の内容】
【実用新案登録請求の範囲】
【請求項１】
クッション繋ぎ部分に面ファスナーを使用した縦置型面
ファスナー繋ぎクッション。
本考案は、高齢者等が転倒骨折に至る事を少しでも軽減する為、クッション間
を面ファスナーで繋ぎ最小限の床面積で、大きな効果を発揮する縦置型面ファスナー
繋ぎクッションでる。
高齢者は意味無く車椅子やベッドから立ち上がり、転倒骨折に至る例が多く、
本クッションは、立ち上がり時の転倒が、骨折に至る事を軽減する為に考案された
最小床面積で、大きな効果を発揮する縦置型面ファスナー繋ぎクッションである。
転倒骨折を防止するには、周りにクッションを敷き詰めれば良いのだが、これでは
場所を取り、足の踏み場も無い為、本考案は、立ち上がる人の周りに、クッションを
屏風状に立てて、転倒時クッションと一緒倒れて頂こうと考えられた、屏風状に立つ
縦置型面ファスナー繋ぎクッションである。
転倒の可能性のある高齢者の立ち上がる情景に合わせ、クッションを立たせて任意
枚数繋いで使用し、繋ぎに面ファスナーを使用したクッションである。
立ち上がり転倒者の周りにクッションを屏風状に張り巡り、クッションと共に転倒
して頂く事で、骨折の確率軽減を可能にした縦置型面ファスナー繋ぎクッションである。
本考案は、クッションを屏風状に使用する為に、面ファスナー繋構造によりクッシ
ョンを縦置きに使用出来る点である。
本考案の屏風状に立てられる縦置型面ファスナー繋クッションは、高齢者立ち上が
り転倒時、一緒に転倒するため、屏風状構造がより一層の弾力と成り、転倒時の衝撃
を和らげる。  
図１は縦置型面ファスナー繋ぎクッション設置例説明図である。
（実施例１）
図２は縦置型面ファスナー繋ぎクッションの繋ぎ部分説明図である。
（実施例２）
クッションを立てて使用するという目的を、クッションを面ファスナーで繋ぎ合わせ、
屏風状に設置する事により、設置床面積が最小限で大きなクッション効果を得る事が
出来た。
図１は、本考案の実施例で設置床面積が小さく、介助者の歩行の邪魔を最小限にし、
転倒骨折の軽減を目的にした縦置型面ファスナー繋ぎクッション設置例である。
図２は、クッション繋ぎ部分の説明図で、面ファスナーを繋ぎ部分に使用する事で
クッションを立てて屏風状に設置した図である。
実用新案登録請求の範囲
クッション繋ぎ部分に面ファスナーを使用した縦置型面ファスナー繋ぎクッション。
要約書
クッションを立てて設置する事が出来れば、設置床面積を最小限に抑えられ、
周りの歩行の妨げも少なく、屏風状に縦置型面ファスナー繋ぎクッションを設置
する利点がある。
クッション間の繋ぎ部分に面ファスナーを使用する事により、任意枚数の
クッションを繋ぐ事が出来、クッションを屏風状に立たせる事が出来る。
0003165484.tif 000005
0003165484.tif 000006
【手続補正書】
【提出日】平成22年9月4日(2010.9.4)
【手続補正１】
【補正対象書類名】実用新案登録請求の範囲
【補正対象項目名】全文
【補正方法】変更
【補正の内容】
【実用新案登録請求の範囲】
【請求項１】
クッション繋ぎ部分に面ファスナーを使用した縦置型面
ファスナー繋ぎクッション。
本考案は、高齢者等が転倒骨折に至る事を少しでも軽減する為、クッション間
を面ファスナーで繋ぎ最小限の床面積で、大きな効果を発揮する縦置型面ファスナー
繋ぎクッションでる。
高齢者は意味無く車椅子やベッドから立ち上がり、転倒骨折に至る例が多く、
本クッションは、立ち上がり時の転倒が、骨折に至る事を軽減する為に考案された
最小床面積で、大きな効果を発揮する縦置型面ファスナー繋ぎクッションである。
転倒骨折を防止するには、周りにクッションを敷き詰めれば良いのだが、これでは
場所を取り、足の踏み場も無い為、本考案は、立ち上がる人の周りに、クッションを
屏風状に立てて、転倒時クッションと一緒倒れて頂こうと考えられた、屏風状に立つ
縦置型面ファスナー繋ぎクッションである。
転倒の可能性のある高齢者の立ち上がる情景に合わせ、クッションを立たせて任意
枚数繋いで使用し、繋ぎに面ファスナーを使用したクッションである。
立ち上がり転倒者の周りにクッションを屏風状に張り巡り、クッションと共に転倒
して頂く事で、骨折の確率軽減を可能にした縦置型面ファスナー繋ぎクッションである。
本考案は、クッションを屏風状に使用する為に、面ファスナー繋構造によりクッシ
ョンを縦置きに使用出来る点である。
本考案の屏風状に立てられる縦置型面ファスナー繋クッションは、高齢者立ち上が
り転倒時、一緒に転倒するため、屏風状構造がより一層の弾力と成り、転倒時の衝撃
を和らげる。  
図１は縦置型面ファスナー繋ぎクッション設置例説明図である。
（実施例１）
図２は縦置型面ファスナー繋ぎクッションの繋ぎ部分説明図である。
（実施例２）
クッションを立てて使用するという目的を、クッションを面ファスナーで繋ぎ合わせ、
屏風状に設置する事により、設置床面積が最小限で大きなクッション効果を得る事が
出来た。
図１は、本考案の実施例で設置床面積が小さく、介助者の歩行の邪魔を最小限にし、
転倒骨折の軽減を目的にした縦置型面ファスナー繋ぎクッション設置例である。
図２は、クッション繋ぎ部分の説明図で、面ファスナーを繋ぎ部分に使用する事で
クッションを立てて屏風状に設置した図である。
実用新案登録請求の範囲
クッション繋ぎ部分に面ファスナーを使用した縦置型面ファスナー繋ぎクッション
【手続補正２】
【補正対象書類名】明細書
【補正対象項目名】全文
【補正方法】変更
【補正の内容】
【考案の詳細な説明】
【技術分野】
【０００１】
本考案はクッション全体を綿カバーで包み、カバーの両サイドに面ファスナーを
取り付け、面ファスナー同士を接続するこ事でクッション同士を繋ぎ使用する。
【０００２】
クッションのみでは立てて使用する事は出来ません。クッションを繋ぎ屏風状に
立てて使用するにはクッションを綿カバーで覆い、綿カバーの両端に面ファスナー
を取り付ける事により繋ぎ合わせる事が出来る。
【先行技術文献】
【特許文献】
【０００３】
【特許文献１】特開２００６−１４１７４７号公報
【特許文献２】特表２００６−５２２９５９号公報
【特許文献３】実登３１１８３０５号公報
【非特許文献】
【０００４】
【非特許文献１】真野行生著「高齢者の転倒とその対策」                                 医歯薬出版株式会社  １９９９年
【手続補正３】
【補正対象書類名】図面
【補正対象項目名】全図
【補正方法】変更
【補正の内容】
【図１】
0003165484.tif 000007
【図２】
0003165484.tif 000008
【図３】
0003165484.tif 000009
【手続補正書】
【提出日】平成22年10月10日(2010.10.10)
【手続補正１】
【補正対象書類名】実用新案登録請求の範囲
【補正対象項目名】全文
【補正方法】変更
【補正の内容】
【実用新案登録請求の範囲】
【請求項１】
直方体の縦置型面ファスナー繋ぎクッョンであって、
縦置きした際の縦の辺のうち、少なくとも一辺に、面
ファスナーを取り付けたことを特徴とする、縦置型面
ファスナーシ繋ぎクッョン。
【手続補正２】
【補正対象書類名】明細書
【補正対象項目名】全文
【補正方法】変更
【補正の内容】
【考案の詳細な説明】
【技術分野】
【０００１】
本考案はクッション全体を綿カバーで包み、カバーの少なくとも一辺に、面ファスナ  ーを取り付け、面ファスナー同士を接続するこ事でクッション同士を繋ぎ使用する。
【０００２】
クッションのみでは立てて使用する事は出来ません。クッションを繋ぎ屏風状に
立てて使用するにはクッションを綿カバーで覆い、綿カバーの少なくとも一辺に、面
ファスナーを取り付ける事により繋ぎ合わせる事が出来る。
【先行技術文献】
【特許文献】
【０００３】
【特許文献１】特開２００６−１４１７４７号公報
【特許文献２】特表２００６−５２２９５９号公報
【特許文献３】実登３１１８３０５号公報
【非特許文献】
【０００４】
【非特許文献１】真野行生著「高齢者の転倒とその対策」                                 医歯薬出版株式会社  １９９９年
【図面の簡単な説明】
【０００５】
本考案は、高齢者等が転倒骨折に至る事を少しでも軽減する為、クッション間
を面ファスナーで繋ぎ最小限の床面積で、大きな効果を発揮する縦置型面ファスナー
繋ぎクッションでる。
高齢者は意味無く車椅子やベッドから立ち上がり、転倒骨折に至る例が多く、
本クッションは、立ち上がり時の転倒が、骨折に至る事を軽減する為に考案された
最小床面積で、大きな効果を発揮する縦置型面ファスナー繋ぎクッションである。
転倒骨折を防止するには、周りにクッションを敷き詰めれば良いのだが、これでは
場所を取り、足の踏み場も無い為、本考案は、立ち上がる人の周りに、クッションを
屏風状に立てて、転倒時クッションと一緒倒れて頂こうと考えられた、屏風状に立つ
縦置型面ファスナー繋ぎクッションである。
転倒の可能性のある高齢者の立ち上がる情景に合わせ、クッションを立たせて任意
枚数繋いで使用し、繋ぎに面ファスナーを使用したクッションである。
立ち上がり転倒者の周りにクッションを屏風状に張り巡り、クッションと共に転倒
して頂く事で、骨折の確率軽減を可能にした縦置型面ファスナー繋ぎクッションである。
（図１）加齢による転倒・骨折予防クッションの設置例を示した説明図。
図１は縦置型面ファスナー繋ぎクッョン設置例説明図である。
図１は、直方体のクッションを立てて使用するという目的を、クッションを面
ファスナーで繋ぎ合わせ、屏風状に設置する事により、設置床面積が最小限で大
きなクッション効果を得る事が出来た実施例で、設置床面積が小さく、介助者の
歩行の邪魔を最小限にし、転倒骨折の軽減を目的にした縦置型面ファスナー繋ぎ
クッション設置例である。
（図２）加齢による。骨折予防クッションの繋ぎ説明図。
図２は縦置転倒型面ファスナー繋ぎクッョンの繋ぎ部分説明図である。
図２は、クッション繋ぎ部分の説明図で、面ファスナーを繋ぎ部分に使用する
事でクッションを立てて屏風状に設置した図である。
（図３）加齢による転倒・骨折予防クッション単体分解図。
図３は縦置転倒型面ファスナー繋ぎクッョンの単体分解図である。
図３は、少なくとも一辺に、面ファスナーを取り付けたことを特徴とする、縦置     型面ファスナーシ繋ぎクッョン単体分解図である。
0003165484.tif 000010
0003165484.tif 000011
0003165484.tif 000012
【手続補正書】
【提出日】平成22年11月12日(2010.11.12)
【手続補正１】
【補正対象書類名】実用新案登録請求の範囲
【補正対象項目名】請求項１
【補正方法】変更
【補正の内容】
【請求項１】
直方体の縦置型面ファスナー繋ぎクッションであって、
縦置きした際の縦の辺のうち、少なくとも一辺に、面
ファスナーを取り付けたことを特徴とする、縦置型面
ファスナー繋ぎクッション。
【手続補正２】
【補正対象書類名】明細書
【補正対象項目名】全文
【補正方法】変更
【補正の内容】
【考案の詳細な説明】
【技術分野】
【０００１】
本考案はクッション全体を綿カバーで包み、カバーの少なくとも一辺に、面ファスナ  ーを取り付け、面ファスナー同士を接続するこ事でクッション同士を繋ぎ使用する。
【０００２】
クッションのみでは立てて使用する事は出来ません。クッションを繋ぎ屏風状に
立てて使用するにはクッションを綿カバーで覆い、綿カバーの少なくとも一辺に、面
ファスナーを取り付ける事により繋ぎ合わせる事が出来る。
【０００３】
本考案は、高齢者等が転倒骨折に至る事を少しでも軽減する為、クッション間
を面ファスナーで繋ぎ最小限の床面積で、大きな効果を発揮する縦置型面ファスナー
繋ぎクッションでる。
高齢者は意味無く車椅子やベッドから立ち上がり、転倒骨折に至る例が多く、
本クッションは、立ち上がり時の転倒が、骨折に至る事を軽減する為に考案された
最小床面積で、大きな効果を発揮する縦置型面ファスナー繋ぎクッションである。
【０００４】
転倒骨折を防止するには、周りにクッションを敷き詰めれば良いのだが、これでは
場所を取り、足の踏み場も無い為、本考案は、立ち上がる人の周りに、クッションを
屏風状に立てて、転倒時クッションと一緒倒れて頂こうと考えられた、屏風状に立つ
縦置型面ファスナー繋ぎクッションである。
【先行技術文献】
【特許文献】
【０００５】
【特許文献１】特開２００６−１４１７４７号公報
【特許文献２】特表２００６−５２２９５９号公報
【特許文献３】実登３１１８３０５号公報
【非特許文献】
【０００６】
【非特許文献１】真野行生著「高齢者の転倒とその対策」                                 医歯薬出版株式会社  １９９９年
【図面の簡単な説明】
【０００７】
【図１】加齢による転倒・骨折予防クッションの設置例を示した説明図。
【図２】加齢による。骨折予防クッションの繋ぎ説明図。
【図３】加齢による転倒・骨折予防クッション単体分解図。